(57)【要約】【課題】  護身効果を一層高めることができる護身具を実現する。【解決手段】  パイプ状に形成された、手で握持するための握持部１内に、パイプ収納部７とボンベ収納部１０とを、プレート２により区画して設ける。テーパ結合する２つのパイプ４，５をパイプ収納部７内に収納する。プレート２に設けられた孔部３とノズル９の中空部が連通する催涙ガスを充填したボンベ８を、ボンベ収納部１０内に収納する。ボンベ８を押し込んで催涙ガスを噴射させるための押込板１４とボタン１２とを、棒材１３を介して連結する。【選択図】図１
2007322116.tif 000002
【特許請求の範囲】
【請求項１】
パイプ状に形成された、手で握持するための握持部（１）と、
前記握持部（１）内にプレート（２）により区画されて形成されたパイプ収納部（７）内に収納される、テーパ結合する少なくとも１つのパイプ（４，５）と、
前記握持部（１）内に前記プレート（２）により区画されて形成されたボンベ収納部（１０）内に収納された、ノズル（９）の中空部が前記プレート（２）の中央部に設けられた孔部（３）と連通する催涙ガスを充填したボンベ（８）と、
前記ボンベ（８）を押し込んで前記催涙ガスを噴射させるための押込手段（１２，１３，１４）とを
具備した護身具。
【請求項２】
前記ボンベ（８）より前記ノズル（９）を介して噴射される前記催涙ガスの射出を案内するための、基端が前記プレート（２）の中央部に固着され、先端が前記少なくとも１つのパイプ（４，５）のうちの最も前方に突き出すパイプ（５）の先端開口付近に固着された案内管（１５〜１７）を具備した請求項１記載の護身具。
【請求項３】
棒状体（２１）と、
前記棒状体（２１）の上端部に横方向に設けられた握持部（２２）と、
前記棒状体（２１）の上部に設けられたボンベ収納部（２５）内に収納された、前記棒状体（２１）の軸心部に下端が開口して設けられた細管状の中空部（２６）とノズル（２４）の中空部が連通する催涙ガスを充填したボンベ（２３）と、
前記ボンベ（２３）を押し込んで前記催涙ガスを噴射させるための押込手段（２９，３０，３１）とを
具備した護身具
【発明の詳細な説明】
【技術分野】
【０００１】  本発明は護身具に関する。より詳しくは、警棒などの棒状体からなる護身具であって、凶器に対する防御力および凶行者に対する打撃力だけでなく、その他の護身用の手段を併有することにより、凶行者の危害行為に対する護身効果をより高めることができる護身具を提供せんとするものである。
【背景技術】
【０００２】  警察官や民間の警備事業に従事する警備員を例に採ると、凶行者に対処するための手段として、従来より、棒状体からなる護身具である警棒を常時携帯することが行われている。そして、この警棒には、一般に、外径が異なる複数の鋼鉄製のパイプが多段に順次テーパ結合される伸縮式の構成が用いられている。【０００３】  すなわち、携帯時は、使用時に握持部となる最も外径が大きいテーパ状に形成されたパイプ内に、これよりは外径が小さいテーパ状のパイプを、その先端部のみが露出するようにして収納しておき、使用時には、握持部内に収納されたパイプを引っ張り出して伸長させる構成が用いられている。【０００４】  また、近時は、凶行者の危害行為の凶悪化に伴い、護身の用に供する手段として、警棒以外に、催涙ガスを噴射させて凶行者の危害意思をひるませる催涙スプレーを併せて携帯することも行われている。
【発明の開示】
【発明が解決しようとする課題】
【０００５】  しかしながら、警察官などが護身用の手段として警棒の他に催涙スプレーを携帯している場合において、凶行者の危害行為に対して警棒だけでは不十分であるため催涙スプレーも使用しようとするときは、例えば、片手で警棒を握持しつつ凶行者と格闘状態にあるような場合は、迅速に催涙スプレーを取り出すことができない。【０００６】  さらには、例えば、警察官が右手で警棒を握持し、左手で催涙スプレーを握持している場合に、拳銃の使用が必要と判断したときは、警棒を手から放してから拳銃をホルスターから取り出さなければならず、瞬時の対応が不可能な場合もある。
【課題を解決するための手段】
【０００７】  そこで、上記課題に照らし、本発明はなされたものである。そのために、本発明では、つぎのような手段を用いるようにした。すなわち、パイプ状に形成された、手で握持するための握持部内に、パイプ収納部とボンベ収納部とをプレートにより区画して設ける。テーパ結合する少なくとも１つのパイプをパイプ収納部内に収納する。ノズルの中空部がプレートに設けられた孔部と連通する催涙ガスを充填したボンベを、ボンベ収納部内に収納する。ボンベを押し込んで催涙ガスを噴射させるための押込手段を配設する。【０００８】  また、棒状体の上端部に握持部を横方向に設ける。棒状体の軸心部に下端が開口して設けられた細管状の中空部とノズルの中空部が連通する催涙ガスを充填したボンベを、棒状体の上部に設けられたボンベ収納部内に収納する。ボンベを押し込んで催涙ガスを噴射させるための押込手段を配設する。以上のような手段を講じるようにした。
【発明の効果】
【０００９】  本発明によるならば、警察官や民間の警備事業に従事している警備員が、凶行者の危害行為に対して警棒だけでは不十分であるため催涙スプレーも使用しようとするときには、迅速に対処することができる。すなわち、例えば、凶行者と格闘状態にある場合、催涙ガスを噴射するためのボタンを身体に押し付けて押圧すれば、凶行者に向けて催涙ガスを噴射できることになる。【００１０】  また、警察官が本発明による警棒を左手で握持して使用するようにすれば、右手で催涙スプレーを握持する必要がないので、拳銃の使用が必要と判断される事態にあっては、瞬時に右手で拳銃をホルスターから取り出すことが可能となる。したがって、本発明による効果は、実用上極めて大きい。
【発明を実施するための最良の形態】
【００１１】  本発明では、軸方向に設けられ一端が開口する管状の中空部を有する棒状体の内部に、催涙ガスを充填したボンベを収納し、このボンベからの催涙ガスを、管状の中空部を介してその一端の開口から噴射する。以下、実施例により詳しく説明する。
【実施例１】
【００１２】  本発明の実施例１の構成を、図１に示し説明する。ここで、図１は、本発明による護身具の一例としての伸縮式の警棒の構成を示す部分断面図であり、ここでは、短縮した状態の警棒を図示している。【００１３】  図１において、１は、管状に形成された、手で握持するための鋼鉄製の握持部である。この握持部１の内部は、握持部１の内周面に当接して固着された、中央部に小径の孔部３を有する鋼鉄製の円板状のプレート２によって、使用時に伸長する鋼鉄製の各パイプ４，５を収納するパイプ収納部７と、催涙ガスを充填したボンベ８を収納するボンベ収納部１０とに区画されている。【００１４】  握持部１におけるパイプ収納部７を形成する部分はテーパ状に形成され、パイプ収納部７内に収納される各パイプ４，５もテーパ状に形成されて、握持部１および各パイプ４，５は、それぞれテーパ結合するようになっている。なお、最も前方に突き出すパイプ５の先端部には、ゴム製のリング状のヘッド６が取り付けられている。【００１５】  他方、握持部１におけるボンベ収納部１０を形成する部分は、テーパ状に形成されることなく、断面形状は方形状に形成されている。また、ボンベ収納部１０内に収納されるボンベ８のノズル９は、その中空部と、プレート２中央部の孔部３とが連通するようになっている。ここにおけるノズル９は、その先端部にリング状の鍔状材などを嵌合して固着するようにしてもよい。その場合は、プレート２に設ける孔部３の径は、鍔状材の直径より小さいものであれば、ノズル９の外径より大きいものであってもよい。【００１６】  また、握持部１におけるボンベ収納部１０を形成する部分の端部には、中央部に円孔を有する円板状のキャップ１１が螺合している。そして、キャップ１１の円孔には円柱状の棒材１３が挿通し、この棒材１３の一端には、円板状のボタン１２が固着され、他端には、ボンベ収納部１０内に収納されたボンベ８本体を押し込んで移動させるための円板状の押込板１４が固着されている。【００１７】  以上のように構成された警棒を使用する場合は、図２（一部を切り欠いた側面図）に示すように、パイプ収納部７（図１）内に収納された各パイプ４，５を伸長させて、握持部１および各パイプ４，５をそれぞれテーパ結合させる。【００１８】  そこで、催涙ガスを噴射する必要がある場合は、フリーになっている他方の手でガス噴射用のボタン１２を押すか、あるいはボタン１２を身体に押し当てて押せば、これに連動して押込板１４が、催涙ガスを充填したボンベ８本体をプレート２側に移動させる。ボンベ８本体がプレート２側に移動すれば、ボンベ８のノズル９はボンベ８本体内に押し込まれるので、これによりボンベ８本体内の開閉弁が開いて催涙ガスがノズル９から噴射し、噴射された催涙ガスは、握持部１内のパイプ収納部７および各パイプ４，５の中空部を介して外部に射出されることになる。【００１９】  以上においては、伸縮するパイプ４，５を２つ用いる場合について説明した。しかし、本発明は、これに限定されるものではない。伸縮するパイプとして、少なくとも１つのパイプを用いる場合に、本発明は適用され得るものであり、伸縮用として、例えば、１つのパイプあるいは３つのパイプを用いる場合に��、本発明は適用し得るものである。
【実施例２】
【００２０】  図３は、本発明の実施例２の構成を示している。ここで、図３は、伸縮式の警棒の構成を示す一部を切り欠いて断面表示した部分断面図であり、図１と同様、短縮した状態の警棒を図示している。なお、図１における構成要素と同一の構成要素については、同じ符号を付している。【００２１】  図３において、図１に示した実施例１の構成と異なるところは、ボンベ８よりノズル９を介して噴射される催涙ガスの射出を案内するための、それぞれテーパ結合する伸縮式の案内管１５〜１７を配設していることである。【００２２】  ここで、各案内管１５〜１７のうち最も外径が大きい案内管１５の基端は、プレート２の中央部に固着されている。また、最も外径が小さい案内管１７の先端には、リング状の嵌合部材１８が嵌合されて固着されており、この嵌合部材１８は、最も前方に突き出すパイプ５の先端開口付近に固着されている。その他の構成は、図１に示した実施例１と同じである。【００２３】  このように構成するならば、ボンベ８のノズル９から噴射された催涙ガスは、各案内管１５〜１７を介して外部に射出されるので、催涙ガスの射出力を高めることが可能となる。なお、催涙ガスの案内管として、伸縮性に富んだゴム管を用いるようにしてもよい。
【実施例３】
【００２４】  図４は、本発明の実施例３の構成を示すものである。ここで、図４は、本発明によるステッキ型の護身具の構成を示す、中間部分を省略した部分断面図である。【００２５】  図４において、ここに示した護身具は、外観上は木製のステッキとして形成されており、棒状体２１の上端部に、握持部２２が横方向に設けられてＴ字状の形状をなしている。そして、棒状体２１の上部には、催涙ガスを充填したボンベ２３を収納するボンベ収納部２５として、中空部が設けられている。【００２６】  さらに、このボンベ収納部２５に連通する細管状の中空部２６が、棒状体２１の軸心部に下端が開口して設けられている。また、棒状体２１の下端部には、棒状体２１に設けられた中空部２６と連通し、かつ、この中空部２６と同一径である中空部２８を中央部に有する金属製の石突き２７が、取り付けられている。【００２７】  棒状体２１上部に設けられたボンベ収納部２５内に収納されるボンベ２３のノズル２４は、その中空部と、棒状体２１に設けられた中央部２６とが連通するようになっている。なお、ボンベ２３のノズル２４は、その先端部にリング状の鍔状材などを嵌合して固着するようにしてもよい。【００２８】  また、握持部２２には、ボンベ収納部２５に連通する円孔が穿設されており、この円孔内には、円柱状の棒材３０が挿通している。そして、棒材３０の一端には、円板状のボタン２９が固着され、他端には、ボンベ収納部２５内に収納されたボンベ２３本体を押し込んで移動させるための円板状の押込板３１が固着されている。【００２９】  以上の構成による護身具をステッキとして使用している場合において、凶行者に不意に遭遇したため催涙ガスを噴射する必要があるときは、フリーになっている他方の手でガス噴射用のボタン２９を押すか、あるいはボタン２９を身体に押し当てて押せば、これに連動して押込板３１が、催涙ガスが充填されたボンベ２３本体を棒状体２１の中空部２６側に移動させる。ボンベ２３本体が棒状体２１の中空部２６側に移動すれば、ボンベ２３のノズル２４はボンベ２３本体内に押し込まれるので、これによりボンベ２３本体内の開閉弁が開いて催涙ガスがノズル２４から噴射し、噴射された催涙ガスは、棒状体２１および石突き２７の各中空部２６，２８を介して外部に射出されることになる。
【図面の簡単な説明】
【００３０】
【図１】  本発明の実施例１の構成を示す部分断面である。
【図２】  図１に示した警棒の使用方法を説明するための説明図である。
【図３】  本発明の実施例２の構成を示す一部を切り欠いて断面表示した部分断面図である。
【図４】  本発明の実施例３の構成を示す、中間部分を省略した部分断面図である。
【符号の説明】
【００３１】１  握持部
２  プレート
３  孔部
４，５  パイプ
６  ヘッド
７  パイプ収納部
８  ボンベ
９  ノズル
１０  ボンベ収納部
１１  キャップ
１２  ボタン
１３  棒材
１４  押込板
１５，１６，１７  案内管
１８  嵌合部材
２１  棒状体
２２  握持部
２３  ボンベ
２４  ノズル
２５  ボンベ収納部
２６  中空部
２７  石突き
２８  中空部
２９  ボタン
３０  棒材
３１  押込板
【図１】
2007322116.tif 000003
【図２】
2007322116.tif 000004
【図３】
2007322116.tif 000005
【図４】
2007322116.tif 000006